(57)【特許請求の範囲】
【請求項１】
内部に収容された販売用の商品の自動化された陳列窓装置であって、
透明窓と、
販売用の複数の異なる種類の商品を収容するように設計され、前記窓の第１の側に配置される格納要素と、
前記商品を引き渡すための要素と、
前記格納要素に収容された前記複数の商品を照明することができる背景照明システムと、
前記格納要素に収容された前記複数の商品のうちの少なくとも１つの商品に光ビームを向けることができる選択的照明システムと、
前記窓の第１の側の反対側の第２の側に加えられた第１の圧力を検出することができる少なくとも1個の圧力センサと、
前記圧力センサに接続された処理ユニットと、
前記処理ユニットおよび前記選択的照明システムと通信するセレクタと、
確認システムとを有し、
前記処理ユニットは、前記圧力センサからの少なくとも１つの出力信号に基づいて、前記窓に加えられた第１の圧力の位置を特定し、前記窓に加えられた第１の圧力の位置に基づいて、前記格納要素内の少なくとも１つの商品を特定し、前記格納要素内の少なくとも１つの商品を選択的に照明するための指示を送信し、
前記セレクタは、前記格納要素内の少なくとも１つの商品を選択的に照明するための指示を受信し、前記選択的に照明するための指示に基づいて前記選択的照明システムを通電し、前記格納要素内の少なくとも１つの商品を選択的に照明し、
前記確認システムは、確認の指示に応じて、前記少なくとも１つの商品の販売および引き渡しを行うことを特徴とする商品販売用陳列窓装置。
【請求項２】
前記確認システムは、前記窓の第２の側に加えられた第２の圧力により生じる確認の指示に応じて、前記少なくとも１つの商品の販売および引き渡しを行う請求項１に記載の装置。
【請求項３】
少なくとも3個の圧力センサを有し、前記処理ユニットは、前記商品の注文をそこから推定するために、前記窓の押圧位置を推定することができる請求項１または２に記載の装置。
【請求項４】
前記窓は、商品および商品数量の表示をサポートする請求項１〜３のいずれかに記載の装置。
【請求項５】
前記圧力センサは、前記窓に取り付けられる請求項１〜４のいずれかに記載の装置。
【請求項６】
前記圧力センサは、前記窓に加えられた力、前記窓に加えられたパルス、または、前記窓の振動を検出することができる請求項１〜５のいずれかに記載の装置。
【請求項７】
さらに、前記窓に加えられた圧力の回数を検出するカウンタを備え、前記カウンタは、1からnまでを数えるように構成され、商品の種類数は、nに等しい請求項１〜６のいずれかに記載の装置。
【請求項８】
さらに、前記窓に加えられた圧力の回数を検出するカウンタを備え、前記カウンタは、1から2nまで数えるように構成され、商品の種類数は、nに等しい請求項１〜６のいずれかに記載の装置。
【請求項９】
複数のランプインディケータを有し、そのそれぞれが商品の種類に対応している請求項１〜８のいずれかに記載の装置。
【請求項１０】
前記処理ユニットは、前記窓に加えられた二重圧力を、注文の正確さを検証することと解釈する請求項１〜９のいずれかに記載の装置。
【請求項１１】
前記圧力センサの感度は、１から１０ニュートンまでの範囲で調整することができる請求項１〜１０のいずれかに記載の装置。
【発明の詳細な説明】
【技術分野】
【０００１】
本発明は、商品の陳列窓、特に販売用の商品の陳列窓の分野に関する。
【背景技術】
【０００２】
通常、店頭には、通行人が販売中の商品の全て、またはいくつかを見ることができる透明な陳列窓がある。しかし、営業時間外には商品を購入することができない。店の営業時間は1日当たり約6時間から12時間までであり、その国の習慣と売買される商品の種類に依存する。残りの1日当たり12時間から18時間までの閉店時間は、その店の1時間当たりの固定費をかなり上昇させる。1日24時間営業している店は、採用の困難さ、スタッフの忠誠心の困難さ、非常に高い人件費、特に夜間、日曜日、祝祭日における非常に高い人件費、および頻繁な経営上の禁止事項に悩まされる。
【０００３】
さらに、駅や空港のような特定の場所には、時々飲み物やキャンディの自動販売機が備えられている。これらの自動販売機は、その商品の見栄えがあまり魅力的でないこと、および例えば、ほとんどの国でその絶対的人数と相対的人数が急激に増加している高齢者のような、この種の装置にあまり慣れていない人にとって操作モードがとっつきにくいことに悩まされる。
【発明の概要】
【発明が解決しようとする課題】
【０００４】
本発明の目的は、店が満たしていない長時間営業という必要性に対応して、見栄えを好ましく、営業経費を手頃に改善することである。本発明の目的は、単純な構造を有する自動陳列窓を提供し、従来の店と比較して少なくとも同程度に心地良い見栄えを提供することである。本発明の目的は、特に高齢者や身体障害者にとって使い方が簡単で分かり易い自動陳列窓を提供することである。
【課題を解決するための手段】
【０００５】
商品販売用陳列窓装置は、透明窓、該窓の片側に配置された少なくとも1つのカテゴリの商品を収容するように設計された少なくとも1枚の棚、前記窓に加えられた圧力を検出可能な少なくとも1個のセンサ、および決定された種類の商品の注文をそこから推定するために、前記圧力センサの出力に接続された処理ユニットを有し、該処理ユニットは、検出機能と選択された商品を引き渡すための要素として、選択された商品をライトアップするために、選択的照明を制御することができるセレクタを備える。
【０００６】
その結果、事前に選択されたカテゴリの商品がユーザに指定されて、前記選択的照明のおかげでそれを直接見ることができる。そのユーザは、すぐに、誤りが発生したか否か、または事前に選択されて選択的に照らされるカテゴリの商品が、自分が望んでいるものに実質的に対応しているか否かに気付く。選択的照明が意味する照明は、特に、より高い強度、および／または、異なった色で背景照明と区別される。選択的照明は、複数のランプを含むことができ、それぞれのランプは、前記セレクタによって制御される。前記セレクタは、また、カテゴリの商品を指定するためにも、ランプの明暗を制御する。ランプは、その商品のサイズと所望の光強度に応じて、1個以上の電球を有することができる。ランプは、カテゴリの商品に向けられた光ビームを発生させる。
【０００７】
誤りが発生した場合、そのユーザは、自分の選択を修正し、および／または、その選択を削除して戻ることができる。選択的に照明された商品が、そのユーザの望みに対応している場合は、キーの上か窓の上を押圧すること、例えば、互いに近接させて2回短時間押圧することによって確認がなされる。
【０００８】
1つの実施形態では、前記装置は、また、押圧回数を数えるためのカウンタ、および押圧回数と商品のカテゴリや決定された商品とを関連付けるように構成されたセレクタを有する。
【０００９】
顧客が前記窓の上に加える押圧回数に応じて、顧客に商品を引き渡すことができる。そのような操作は、特に直感的に認識できる。
【００１０】
1つの実施形態では、前記圧力センサは、前記窓に取り付けられている。
【００１１】
1つの実施形態では、前記圧力センサは、前記窓に加えられた力を検出することができる。考慮に入れる力の範囲は、1ニュートンから10ニュートンまでの範囲に調整することができる。前記範囲未満では、受け入れられるべき力に対して誤動作が発生するリスクが高過ぎる。前記範囲超では、そのユーザは、前記窓が破損するリスクを阻止するように、過度の圧力は全く結果を産まないことを理解しなければならない。
【００１２】
1つの実施形態では、前記圧力センサは、前記窓に加えられたパルスを検出することができる。0.01 ms-2と0.1ms-2との間にわたるパルスを考慮に入れることができる。
【００１３】
1つの実施形態では、前記圧力センサは、前記窓の振動を検出することができる。10Hzと100Hzとの間にわたる振動を考慮に入れることができる。周波数と加速度との組み合わされた範囲、さもなければ振幅との組み合わされた範囲を提供することができる。
【００１４】
前記センサは、適切な感度を持つ警報システムで使用される種類のものでも良い。
【００１５】
1つの実施形態では、前記カウンタと前記セレクタは、例えば、少なくとも1個のコンパレータを有するアナログ回路の形で作られている。
【００１６】
1つの実施形態では、前記カウンタと前記セレクタは、例えば、プログラマブルコントローラを備えるディジタル回路の形で作られている。
【００１７】
1つの実施形態では、前記カウンタは、1からnまで数えるように構成され、商品の最大種類数はnに等しい。その商品をひとつずつ購入しても良い。
【００１８】
1つの実施形態では、前記カウンタは、1から2nまで数えるように構成され、商品の最大種類数はnに等しい。この場合、1回の購入で異なった種類の商品を注文することができる。
【００１９】
1つの実施形態では、前記装置は、複数のランプインディケータを有し、そのそれぞれが商品の種類に対応している。その注文を観察するのは簡単である。それぞれのランプインディケータは、例えば、線画や写真のようなそのそれぞれに対応する商品の表示の近くに配置されても良い。
【００２０】
1つの実施形態では、前記装置は、少なくとも3個の圧力センサ、およびその押圧位置を推定し、選択された種類の商品を引き渡し用の要素のための注文をそこから推定するために、前記センサの出力に接続された1台の処理ユニットを有する。前記窓は、注文をより直感的に認識でき、かつ自然なものにするために、その商品の表示とその商品数量の表示をサポートしても良い。この場合、所望の種類の商品の所望の数量が表示される前記窓の位置を押圧することで十分である。
【００２１】
1つの実施形態では、前記注文は、商品の数量と種類とを有する。したがって、数種類の数個の商品を注文することができる。
【図面の簡単な説明】
【００２２】
【図１】本発明の一態様に係る装置の概略図である。
【発明を実施するための形態】
【００２３】
添付の図面によって例示された一例として挙げられた、決して限定ではない一実施形態の詳細な説明を読むことにより、本発明はより良く理解され、その他の利点が明らかになるであろう。
【００２４】
図面に見ることができるように、陳列窓装置1は、スペースを外側ゾーン3と内側ゾーン4とに分離する透明な窓ガラス2、異なる種類の商品6〜9のための棚10〜13を備える格納要素5、購入された商品のための引き渡し要素15、窓ガラス2に接触しているセンサ16、センサ16の出力に接続されたカウンタ17、カウンタ17の出力に接続されたセレクタ18、照明21、および付加的に、セレクタ18の出力に接続されたディスプレイ19を有する。格納要素5、引き渡し要素15、センサ16、カウンタ17、セレクタ18、および照明21は、内側ゾーン4の中に配置される。
【００２５】
格納要素5の棚10〜13は、固定されていても良いが、対応する商品を引き渡し要素15の中に1つずつ落下させるために平行移動可能でも良い。棚10〜13は、その回転によって対応する商品を引き渡し要素15の中に1つずつ落下させるように設計された、例えば、螺旋状のねじのような作動装置に結合されていても良い。引き渡し要素15は、前記引き渡し要素15の中に落下した商品へのアクセスを与える、ロックなしか、またはロック可能な可動式フラップ20を有する。
【００２６】
センサ16は、例えば、応力ゲージの形か、または運動センサに結合したばねの形で力を検出するように設計されても良いし、例えば、圧電センサの形で振動を検出するように設計されても良いし、例えば、加速度計の形で加速度を検出するように設計されても良い。センサ16は、窓ガラス2に接着しても良いし、窓ガラス2に対して置くだけでも良い。
【００２７】
図示された実施形態では、装置は、窓ガラス2上の異なった位置に配置された3個のセンサ16を有する。数個のセンサ16の存在は、より信頼性が高い検出、および付加的に、角度測定による窓ガラス2上の衝撃位置や押圧位置の推定を可能にする。窓ガラス2に、例えば、商品の種類、および／または、それらの数量を、英数字かグラフィカルな形状で示す書き込みがある場合、窓ガラス2上の衝撃位置や押圧位置の推定は、特に価値がある。文献ＷＯ96/11378は参照可能である。
【００２８】
カウンタ17とセレクタ18は、プログラマブルコントローラの形で製作されても良い。カウンタ17は、商品の種類数、例えば5に等しい、さもなければ2N、即ち図示例では16個に等しい最大数Nの種類であっても良い。言い換えれば、カウンタ17は、棚10〜13の枚数に対応するビット数を有しても良い。この場合、注文は、商品のカテゴリに関連し、1件の注文における商品の数量は制限されない。その代わりに、カウンタ17は、同一注文における商品の種類の混在を可能にするために、商品の種類の可能な組み合わせ数に対応するビット数を有しても良い。
【００２９】
照明21は、各商品カテゴリ6〜9に対して1つずつ、複数のランプ22〜25を有し、そのそれぞれは、1つの商品カテゴリの少なくとも1つの商品6〜9に光ビームを向ける。
【００３０】
セレクタ18は、格納要素5、引き渡し要素15、照明21、および付加的に、ディスプレイ19を制御するように構成される。セレクタ18は、窓ガラス2から作動情報を受け取るために、センサ16に接続される。セレクタ18は、取引の支払いを受け取り、購入された商品の引き渡しを許可するために備えられた現金支払端末に接続されても良いし、例えば、図示しない支払いカード用の支払い端末に接続されても良い。セレクタ18は、ディスプレイ19によってその注文を表示させ、注文された商品が引き渡し要素15の中に落下するように格納要素5を作動させ、引き渡し要素15のフラップ20をロックさせるように制御することができる。ディスプレイ19は、例えば、少なくとも商品の種類数と同数の発光ダイオードを有するタイプでも良いし、商品の名称、ロゴ、または絵を表示することを可能にするディスプレイスクリーン付きのタイプでも良い。したがって、ユーザは、例えば、窓ガラス2上への二重押圧によって注文を確認する前に、その注文の正確さを検証することができる。
【００３１】
外側ゾーン3に居て、陳列窓の内側ゾーン4の中の棚10〜13の上に陳列された商品の1個を取得したいと望むユーザは、所望の商品の種類と数量を適切に示す照明21が点灯するまで、自分の手で窓ガラス2を押圧する。それから、ユーザは、窓ガラス2上を互いに近接させて2回押圧することによって、そうでなければ、現金支払端末を用いて支払うことによって、その注文を確認しても良い。価格は、セレクタ18によって伝えられた情報に応じて、現金支払端末が計算しても良い。
【００３２】
これは、自動的な装置にそれほど精通していない人々を含めて、長時間にわたる購買活動を可能にするユーザフレンドリな陳列窓を提供する。これは、以前にはできなかった人々に対して、商品を入手できるようにする。その陳列窓は、フレーム、コントロールパネル、商品引き渡し用開口部、および支払い端末を有する商品自動販売機の一部を形成しても良い。
【図１】
0005426395.tif 000002